(57)【要約】      （修正有）【課題】地震等の外部圧力によって天井材が脱落するのを防止し、鉄骨製母屋の傾斜角度に影響されることなく、該鉄骨製母屋に野縁受けを堅固に取り付けることができる懸架装置を提供する。【解決手段】屋根材１に沿って配設される鉄骨製屋根骨枠２に直交して屋根材の勾配に合わせて種々の勾配角度に傾斜して配設される鉄骨製母屋３を止着具７によって固着し、鉄骨製母屋に野縁受けＵを懸架するための野縁受け懸架装置において、鉄骨製母屋３に、固定金具５と固定金具に鉄骨製母屋の長手方向に揺動可能に枢着される可動金具６とからなる野縁受け懸架金具４が取り付けられ、可動金具６に野縁受け吊りボルト８が取り付けられてなる。【選択図】図１
0003207628.tif 000002
【実用新案登録請求の範囲】
【請求項１】
屋根材に沿って配設される鉄骨製屋根骨枠に直交して屋根材の勾配に合わせて種々の勾配角度に傾斜して配設される鉄骨製母屋を固着し、この鉄骨製母屋に野縁受けを懸架するための野縁受け懸架装置において、
鉄骨製母屋に、該母屋に固定される固定金具と該固定金具に鉄骨製母屋の長手方向に揺動可能に枢着される可動金具とからなる野縁受け懸架金具が取り付けられ、
前記可動金具に野縁受け吊りボルトが取り付けられてなる野縁受け懸架装置。
【請求項２】
前記鉄骨製母屋は、縦フランジ部と、その上部の上フランジ部と、その下部の下フランジ部と、上下フランジ部の先端部に開口部を挟んで互いに対向して突設される上下リップ部とからなるリップ付き溝形鋼からなり、
固定金具は、底片部及びその両端部より上向きに延長して互いに対向して形成された一対の枢支片部からなる上向きコ字状の枢支枠部と、一対の枢支片部のうちの一方の枢支片部を延長して形成された延長縦片と、該延長縦片の上端部を内向きに直角に折り曲げて延長して形成された上片と、前記一対の枢支片部の他方の枢支片部の上端部を外向きに直角に折り曲げて形成された下片と、該下片の外向き折り曲げ方向に直交する方向の下片の両端部を延長して形成された一対の固定フランジ片とからなり、
可動金具は、吊りボルト取付片部及び該取付片部の両端部を上向きに延長して互いに対向して形成された一対の被枢支片部からなる上向きコ字状の被枢支枠部からなり、
固定金具の前記上片に下向きにねじ込まれた押圧ボルトの先端部が鉄骨製母屋の前記下フランジ部の内面を押圧し、固定金具の前記延長縦片が鉄骨製母屋の前記下リップ部に当て付けられて、固定ねじが前記延長縦片から前記下リップ部にねじ込まれ、固定金具の前記一対の固定フランジ片が鉄骨製母屋の前記下フランジ部の外面に当て付けられ、固定ねじが両固定フランジ片から夫々前記下フランジ部にねじ込まれ、
固定金具の前記上向きコ字状の枢支枠部に可動金具の前記上向きコ字状の被枢支枠部が嵌め込まれ、固定金具の前記上向きコ字状の枢支枠部の両枢支片部と可動金具の前記上向きコ字状の被枢支枠部の両被枢支片部とにわたってボルト・ナットからなる枢着具によっ可動金具が枢着具を中心に鉄骨製母屋の長手方向に揺動可能に固定金具に枢着され、
可動金具の前記吊りボルト取付片部に野縁受け吊りボルトが取り付けられてなる野縁受け懸架装置。
【請求項３】
前記野縁受け懸架金具の可動金具に取り付けられた野縁受け吊りボルトは、鉄骨製母屋の傾斜角度に影響されることなく前記可動金具に垂直に吊り下げられ、ハンガーを介して野縁受けを懸架してなる請求項１又は２に記載の野縁受け懸架装置。
【請求項４】
前記固定金具の底片部に野縁受け吊りボルトを直接に垂直に取り付けるためのねじ孔が形成されてなる請求項１又は２に記載の野縁受け懸架装置。
【請求項５】
前記固定金具の底片部の上部に対向して位置する前記下片に、前記底片部にねじ込まれた野縁受け吊りボルトの先端部が直接に鉄骨製母屋の下フランジ部の外面に当て付けられるよう切欠き部２５が設けられてなる請求項４に記載の野縁受け懸架装置。
【請求項６】
少なくとも一対の鉄骨製母屋に夫々取り付けられた前記野縁受け懸架金具に夫々吊りボルトが吊り下げられ、これら一対の吊りボルトは、夫々短尺な羽子板ボルトからなり、該羽子板ボルトにチャッネル鋼板からなる振れ止め用筋交いが連結されて、一対の筋交いは、夫々吊りボルトを介して前記懸架金具に互いに左右反対方向に傾斜して吊り下げられ、両筋交いの下端部が野縁受けに固着具によって固着されてなる請求項１又は２に記載の野縁受け懸架装置。
【請求項７】
野縁受け懸架金具の固定金具を形成するための帯板状の打ち抜き金属板は、ねじ孔付きの上片に相当する部分と、折り込み線によって折り込まれる挿通孔付きの延長縦片に相当する部分と、延長縦片の下部に一体形成される挿通孔付きの一方の枢支片部に相当する部分と、折り込み線によって折り込まれるねじ孔付きの底片部に相当する部分と、折り込み線によって折り込まれる挿通孔付きの他方の枢支片部に相当する部分と、折り込み線によって折り込まれる挿通孔付きの一対の固定フランジ片に相当する部分とからなる請求項１〜６の何れかに記載の野縁受け懸架装置。
【考案の詳細な説明】
【技術分野】
【０００１】
本考案は、鉄骨製屋根骨枠に屋根材の勾配に合わせて種々の勾配角度に傾斜して固着される鉄骨製母屋に、その傾斜角度に影響されることなく野縁受けを懸架するための野縁受け懸架装置に関する。
【背景技術】
【０００２】
従来、屋根材の勾配に合わせて種々の勾配角度に傾斜して配設される鉄骨製屋根骨枠を有する鉄骨製建物内の天井材を吊持するための野縁受け懸架装置はあまり見られないが、例えば、天井材落下防止装置としては、特許第３８１７３４６号に係る従来技術が存在する。この従来技術は、屋根下地や屋根ボード等の屋根材の勾配に合わせて種々の勾配角度に傾斜して配設される鉄骨製屋根骨枠の上面に、これに直交して鉄骨製母屋が取り付けられ、この鉄骨製屋根骨枠に直接に取り付けられる板状の第１部材と、天井吊りボルトが取り付けられる板状の第２部材とを重ね合わせて両者をその中心部を軸心として垂直面内を回転可能に枢着し、第１部材に対して第２部材をその中心部を回転中心として回転調整して、該第２部材に天井吊りボルトを垂直に吊持させるようにしている。この従来技術であると、地震の際の衝撃や振動によって第２部材が第１部材に対して回転揺動して第２部材に取り付けられる天井吊りボルトが左右に大きく揺動する危険性があり、天井吊りボルトの揺動によって、これに吊持される天井材が破壊、落下する大きな要因となり、又、第１部材と第２部材を、その回転中心部に枢着するために構造が複雑で製作費が高くつく難点があった。なお、周知のように、天井吊りボルトの下端部にハンガーを介して野縁受けが取り付けられ、該野縁受けにフック部材を介して野縁が取り付けられ、該野縁に天井材が取り付けられるようになっている。
【考案の概要】
【考案が解決しようとする課題】
【０００３】
本考案は、上記従来技術のように、地震等の外部圧力によって天井材が脱落するのを防止して、鉄骨製屋根骨枠に直交して取り付けられる鉄骨製母屋の傾斜角度に影響されることなく、該鉄骨製母屋に野縁受けを堅固に懸架するための野縁受け懸架装置を提案することを課題とする。
【課題を解決するための手段】
【０００４】
上記課題を解決するための手段を、後述する実施形態の参照符号を付して説明すると、請求項１に係る考案の野縁受け懸架装置は、屋根材１に沿って配設される鉄骨製屋根骨枠鉄骨製屋根骨枠２に直交して屋根材１の勾配に合わせて種々の勾配角度に傾斜して配設される鉄骨製母屋３を止着具７によって固着し、この鉄骨製母屋３に野縁受けＵを懸架するための野縁受け懸架装置において、鉄骨製母屋３に、該母屋３に固定される固定金具５と該固定金具５に鉄骨製母屋３の長手方向に揺動可能に枢着される可動金具６とからなる野縁受け懸架金具４が取り付けられ、野縁受け懸架金具４の可動金具６に野縁受け吊りボルト８が取り付けられてなる構成からなるものである。
【０００５】
請求項２に係る考案は、前記鉄骨製母屋３は、縦フランジ部３ａと、その上部の上フランジ部３ｂと、その下部の下フランジ部３ｃと、上下フランジ部３ｂ，３ｃの先端部に開口部３ｄを挟んで互いに対向して突設される上下リップ部３ｅ，３ｆとからなるリップ付き溝形鋼からなり、固定金具５は、底片部５ａ及びその両端部より上向きに延長して互いに対向して形成された一対の枢支片部５ｂ，５ｃからなる上向きコ字状の枢支枠部５ｄと、一対の枢支片部５ｂ，５ｃのうちの一方の枢支片部５ｂを延長して形成された延長縦片５ｅと、該延長縦片５ｅの上端部を内向きに直角に折り曲げて延長して形成された上片５ｆと、前記一対の枢支片部５ｂ，５ｃの他方の枢支片部５ｃの上端部を外向きに直角に折り曲げて形成された下片５ｇと、該下片５ｇの外向き折り曲げ方向に直交する方向の下片５ｇの両端部を延長して形成された一対の固定フランジ片５ｈ，５ｉとからなり、可動金具６は、吊りボルト取付片部６ａ及び該取付片部６ａの両端部を上向きに延長して互いに対向して形成された一対の被枢支片部ｂ，６ｃからなる上向きコ字状の被枢支枠部６ｄからなり、固定金具５の前記上片５ｆに下向きにねじ込まれた押圧ボルト９の先端部が鉄骨製母屋３の前記下フランジ部３ｃの内面３ｃ１を押圧し、固定金具５の前記延長縦片４ｂを鉄骨製母屋３の前記下リップ部３ｆに当て付けられて、固定ビス１０が前記延長縦片５ｅから前記下リップ部３ｆにねじ込まれ、固定金具５の前記一対の固定フランジ片５ｈ，５ｉが鉄骨製母屋３の前記下フランジ部３ｃの外面３ｃ２に当て付けられて、固定ビス１１が両固定フランジ片５ｈ，５ｉから夫々前記下フランジ部３ｃにねじ込まれ、固定金具５の前記上向きコ字状の枢支枠部５ｄに可動金具６の前記上向きコ字状の被枢支枠部６ｄが嵌め込まれ、固定金具５の前記上向きコ字状の枢支枠部５ｄの両枢支片部５ｂ，５ｃと可動金具６の前記上向きコ字状の被枢支枠部６ｄの両被枢支片部６ｂ，６ｃとにわたってボルト１２ａ・ナット１２ｂからなる枢着具１２によって、可動金具６が枢着具１２を中心に鉄骨製母屋３の長手方向に揺動可能に固定金具５に枢着され、可動金具６の前記吊りボルト取付片部６ａに野縁受け吊りボルト８が取り付けられてなる請求項１に記載の構成からなるものである。
【０００６】
請求項３に係る考案は、前記野縁受け懸架金具４の可動金具６に取り付けられた野縁受け吊りボルト８は、鉄骨製母屋３の傾斜角度に影響されることなく前記可動金具６に垂直に吊り下げられ、ハンガー１３を介して野縁受けＵを懸架してなる請求項１又は２に記載の構成からなるものである。
【０００７】
請求項４に係る考案は、前記固定金具５の底片部５ａに野縁受け吊りボルト８を直接に垂直に取り付けるためのねじ孔１７が形成されてなる請求項１又は２に記載の構成からなるものである。
【０００８】
請求項５に係る考案は、前記固定金具５の底片部５ａの上部に対向して位置する前記下片５ｇに、前記底片部５ａにねじ込まれた野縁受け吊りボルト８の先端部８ｂが直接に鉄骨製母屋３の下フランジ部３ｃの外面３ｃ２に当て付けられるよう切欠き部２５が設けられてなる請求項４に記載の構成からなるものである。
【０００９】
請求項６に係る考案は、少なくとも一対の鉄骨製母屋３，３に夫々取り付けられた前記野縁受け懸架金具４に夫々吊りボルト８，８が吊り下げられ、これら一対の吊りボルト８，８は、夫々短尺な羽子板ボルト１４，１４からなり、該羽子板ボルト１４，１４にチャッネル鋼板からなる振れ止め用筋交い１５，１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受けＵに固着具１６によって固着されてなる請求項１又は２に記載の構成からなるものである。
【００１０】
請求項７に係る考案は、野縁受け懸架金具４の固定金具５を形成するための帯板状の打ち抜き金属板４Ａは、ねじ孔９ａ付きの上片５ｆに相当する部分と、折り込み線１８によって折り込まれる挿通孔１０ａ付きの延長縦片５ｅに相当する部分と、延長縦片５ｅの下部に一体形成される挿通孔５ｂ１付きの一方の枢支片部５ｂに相当する部分と、折り込み線１９によって折り込まれるねじ孔１７付きの底片部５ａに相当する部分と、折り込み線２０によって折り込まれる挿通孔５ｃ１付きの他方の枢支片部５ｃに相当する部分と、折り込み線２１によって折り込まれる挿通孔１１ａ，１１ｂ付きの一対の固定フランジ片５ｈ，５ｉに相当する部分とからなる請求項１〜５の何れかに記載の構成からなるものである。
【考案の効果】
【００１１】
請求項１に係る考案によれば、屋根材１に沿って配設される鉄骨製屋根骨枠２に直交して屋根材１の勾配に合わせて種々の勾配角度に傾斜して配設される鉄骨製母屋３を止着具７によって固着し、この鉄骨製母屋３に野縁受けＵを懸架するための野縁受け懸架装置において、鉄骨製母屋３に、該母屋３に固定される固定金具５と該固定金具５に鉄骨製母屋３の長手方向に揺動可能に枢着される可動金具６とからなるの野縁受け懸架金具４が取り付けられ、野縁受け懸架金具４の可動金具６に野縁受け吊りボルト８が取り付けられてなるため、鉄骨製母屋３が種々の勾配角度に傾斜して配設されることによって、これに取り付けられる野縁受け懸架金具４の固定金具５の傾斜角度が変わっても、これに可動金具６を介して取り付けられる野縁受け吊りボルト８は、常に垂直に吊り下げられるか、あるいは所望の傾斜角度に吊り下げられて、その下端部を野縁受けＵに正確に固着することができる。
【００１２】
請求項２に係る考案によれば、リップ付き溝形鋼からなる鉄骨製母屋３に取り付けられる前記野縁受け懸架金具４は、該懸架金具４の固定金具５の前記上片５ｆに下向きにねじ込まれた押圧ボルト９の先端部が鉄骨製母屋３の前記下フランジ部３ｃの内面３ｃ１を押圧し、固定金具５の延長縦片４ｂを鉄骨製母屋３の下リップ部３ｆに当て付けられて、固定ビス１０が延長縦片５ｅから下リップ部３ｆにねじ込まれ、固定金具５の一対の固定フランジ片５ｈ，５ｉが鉄骨製母屋３の下フランジ部３ｃの外面３ｃ２に当て付けられて、固定ビス１１が両固定フランジ片５ｈ，５ｉから夫々下フランジ部３ｃにねじ込まれてなるため、前記下リップ部３ｆと下フランジ部３ｃに当接する固定金具５は鉄骨製母屋３に強固に固定され、固定金具５と可動金具６とからなる野縁受け懸架金具４は鉄骨製母屋３に強固に取り付けられることになり、外部からの衝撃や振動によって、野縁受け懸架金具４が鉄骨製母屋３から脱落することはない。
【００１３】
又、可動金具６は、吊りボルト取付片部６ａ及び該取付片部６ａの両端部を上向きに延長して互いに対向して形成された一対の被枢支片部ｂ，６ｃからなる上向きコ字状の被枢支枠部６ｄからなり、固定金具５の前記上向きコ字状の枢支枠部５ｄに可動金具６の前記上向きコ字状の被枢支枠部６ｄが嵌め込まれ、固定金具５の前記上向きコ字状の枢支枠部５ｄの両枢支片部５ｂ，５ｃと可動金具６の前記上向きコ字状の被枢支枠部６ｄの両被枢支片部６ｂ，６ｃとにわたってボルト１２ａ・ナット１２ｂからなる枢着具１２によって、可動金具６が枢着具１２を中心に鉄骨製母屋３の長手方向に揺動可能に固定金具５に枢着され、可動金具６の前記吊りボルト取付片部６ａに野縁受け吊りボルト８が取り付けられてなるため、野縁受け吊りボルト８は鉄骨製母屋３の傾斜角度に影響されることなく、野縁受け懸架金具４の可動金具６を介して、鉄骨製母屋３に垂直に垂下され、野縁受けＵを正確に吊持することができる。
【００１４】
又、本考案によれば、固定金具５を鉄骨製母屋３に固定するにあたって、まず、押圧ボルト９が固定金具５の前記上片５ｆに下向きにねじ込まれ、該押圧ボルト９の先端部が鉄骨製母屋３の前記下フランジ部３ｃの内面３ｃ１を押圧した状態に固定金具５を鉄骨製母屋３に仮止めし、固定金具５の鉄骨製母屋３に対して仮止め状態を維持した状態で、その後に、固定金具５の前記延長縦片４ｂから鉄骨製母屋３の前記下リップ部３ｆに固定ビス１０がねじ込まれ、且つ固定金具５の前記一対の固定フランジ片５ｈ，５ｉから鉄骨製母屋３の前記下フランジ部３ｃに固定ビス１１がねじ込まれるようにすることによって、固定ビス１０，１１による延長縦片５ｅ及び一対の固定フランジ片５ｈ，５ｉの鉄骨製母屋３に対する固定作業を円滑に且つ容易に行うことができる。即ち、押圧ボルト９は固定金具５の鉄骨製母屋３に対する仮止めのために主に用いられるものであるが、固定ビス１０，１１と共に、固定金具５の鉄骨製母屋３に対する固定作業を補完する作用も有するものである。
【００１５】
請求項３に係る考案によれば、前記野縁受け懸架金具４の可動金具６に取り付けられた野縁受け吊りボルト８は、鉄骨製母屋３の傾斜角度に影響されることなく前記可動金具６に垂直に吊り下げられ、ハンガー１３を介して野縁受けＵを懸架してなるため、野縁受けＵは、無理なく吊りボルト８に吊持される。
【００１６】
請求項４に係る考案によれば、図３〜図５に示すように、前記固定金具５の底片部５ａに野縁受け吊りボルト８を直接に垂直に取り付けるためのねじ孔１７が形成されてなるため、図６〜図８に示すように野縁受け懸架金具４の固定金具５に対して可動金具６を枢着する枢着具１２を取り外して、可動金具６を固定金具５から撤去することによって、固定金具５の底片部５ａに形成されているねじ孔１７に野縁受け吊りボルト８をねじ込み、その先端部を鉄骨製母屋３の下フランジ部３ｃに外面３ｃ２に当て付けて、ロックナット２２で吊りボルト８を固定金具５に取り付けることによって、野縁受け吊りボルト８は鉄骨製母屋３に直接に垂直に取り付けることができる。しかも、野縁受け吊りボルト８はその先端部８ｂが鉄骨製母屋３の下フランジ部３ｃの外面３ｃ２に当て付けられた状態では、野縁受け吊りボルト８は固定金具５にねじ止めされ、且つロックナットによって吊りボルト８の定位置にロックすることになるため、野縁受け吊りボルト８は、筋交いを付設しなくても、動揺することなく正確に且つ堅固に垂直状態に垂下されることになる。特に、固定金具５の上下方向の長さを大きく取ることによって、当該吊りボルト８のロック位置を、より下方に持ってくることになるため、当該吊りボルト８を一層動揺することなく堅固に取り付けることができる。
【００１７】
請求項５に係る考案によれば、前記固定金具５の底片部５ａの上部に対向して下片５ｇが位置するため、そのままでは底片部５ａにねじ込んだ野縁受け吊りボルト８の先端部８ｂに当て付けられるため、図６〜図８に示すように、前記下片５ｇに切欠き部２５を設けることによって、前記底片部５ａにねじ込まれた野縁受け吊りボルト８の先端部８ｂが直接に鉄骨製母屋３の下フランジ部３ｃの外面３ｃ２に当て付けることができる。
【００１８】
請求項６に係る考案によれば、図９に示すように、少なくとも一対の鉄骨製母屋３，３に夫々取り付けられた前記野縁受け懸架金具４に夫々吊りボルト８，８が吊り下げられ、これら一対の吊りボルト８，８は、夫々短尺な羽子板ボルト１４，１４からなり、該羽子板ボルト１４，１４にチャッネル鋼板からなる振れ止め用筋交い１５，１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受けＵに固着具１６によって固着されてなるため、一対の振れ止め用筋交い１５によって野縁受けＵを吊持することができると共に、外部からの衝撃や振動を受けても、一対の振れ止め用筋交い１５の補強作用によって、野縁受けＵは動揺することなく吊持され、野縁受けＵに野縁を介して取り付けられる天井材の脱落を防止することができる。
【００１９】
請求項７に係る考案によれば、図１０に示すように、野縁受け懸架金具４の固定金具５を形成するための帯板状の打ち抜き金属板４Ａは、ねじ孔９ａ付きの上片５ｆに相当する部分と、折り込み線１８によって折り込まれる挿通孔１０ａ付きの延長縦片５ｅに相当する部分と、延長縦片５ｅの下部に一体形成される挿通孔５ｂ１付きの一方の枢支片部５ｂに相当する部分と、折り込み線１９によって折り込まれるねじ孔１７付きの底片部５ａに相当する部分と、折り込み線２０によって折り込まれる挿通孔５ｃ１付きの他方の枢支片部５ｃに相当する部分と、折り込み線２１によって折り込まれる挿通孔１１ａ，１１ｂ付きの一対の固定フランジ片５ｈ，５ｉに相当する部分とからなるため、前記折り込み線１９〜２１にしたがって折り込むことによって、野縁受け懸架金具４のねじ孔９ａ付きの上片５ｆ、挿通孔１０ａ付きの延長縦片５ｅ、延長縦片５ｅの下部に一体形成される挿通孔５ｂ１付きの一方の枢支片部５ｂ、ねじ孔１７付きの底片部５ａ、挿通孔５ｃ１付きの他方の枢支片部５ｃ及び挿通孔１１ａ，１１ｂ付きの一対の固定フランジ片５ｈ，５ｉが形成される。これがために、鋼板などの金属板の打ち加工によって上記一連の構成部分を一体形成することができ、その後は打ち抜き金属板を折り込み加工するだけで製品とすることができるから、非常に安価に製作することができる。
【図面の簡単な説明】
【００２０】
【図１】本考案に係る野縁受け懸架装置の使用状態説明図である。
【図２】本考案の要部の使用状態を示す拡大正面図である。
【図３】図２のＡーＡ線断面図である。
【図４】同使用状態を示す斜視図である。
【図５】同分解斜視図である。
【図６】本考案の他の実施形態の使用例を示す斜視図である。
【図７】同正面図である。
【図８】図７のＢーＢ線断面図である。
【図９】本考案に係る野縁受け懸架装置の他の実施形態の使用状態説明図である。
【図１０】同要部の野縁受け懸架金具の展開図である。
【考案を実施するための形態】
【００２１】
以下に本考案の好適な実施形態を図面に基づいて説明すると、図１は、本考案に係る野縁受け懸架装置の使用状態を示すものである。
【００２２】
従来から勾配屋根として、屋根下地や屋根ボード等からなる屋根材１がＨ型鋼からなる鉄骨製屋根骨枠２に支持され、これら鉄骨製屋根骨枠２に直交して、種々の勾配角度に合わせて傾斜して高所から低部に向かって鉄骨製母屋３が配設され、適当な止着具１７によって該鉄骨製母屋３が鉄骨製屋根骨枠２に固着される。
【００２３】
本考案は、図１に示すように、鉄骨製屋根骨枠２に直交して傾斜して取り付けられた鉄骨製母屋３に野縁受け懸架装置を装備するようにしたものである。
【００２４】
この野縁受け懸架装置は、長手方向に傾斜状に配備された鉄骨製母屋３に野縁受け懸架金具４が取り付けられる。該懸架金具４は、鉄骨製母屋３に固定される固定金具５と該固定金具５に、鉄骨製母屋３の長手方向に揺動可能に枢着される可動金具６とからなる。そして、可動金具６に野縁受け懸架用の吊りボルト８が連結され、該吊りボルト８の下端部８ａにハンガー１３によって野縁受けＵを吊持し、該野縁受けＵにクリップＣを介して野縁Ｎを取り付け、これに天井材Ｔをビスや接着材によって取り付けられるようになっている。
【００２５】
鉄骨製母屋３は周知のもので、図１〜図５に示すように、縦フランジ部３ａと、その上部の上フランジ部３ｂと、その下部の下フランジ部３ｃと、上下フランジ部３ｂ，３ｃの先端部に開口部３ｄを挟んで互いに対向して突設される上下リップ部３ｅ，３ｆとからなり、夫々のコーナー部が直角に形成されたリップ付き溝形鋼からなり、該リップ付き溝形鋼からなる鉄骨製母屋３に固定される前記野縁受け懸架金具４の固定金具５は、底片部５ａ及びその両端部より上向きに延長して互いに対向して形成された一対の枢支片部５ｂ，５ｃからなる上向きコ字状の枢支枠部５ｄと、一対の枢支片部５ｂ，５ｃのうちの一方の枢支片部５ｂを延長して形成された延長縦片５ｅと、該縦片５ｅの上端部を内向きに直角に折り曲げて延長して形成された上片５ｆと、前記一対の枢支片部５ｂ，５ｃの他方の枢支片部５ｃの上端部を外向きに直角に折り曲げて形成された下片５ｇと、該下片５ｇの外向き折り曲げ方向に直交する方向の下片５ｇの両端部を延長して形成された一対の固定フランジ片５ｈ，５ｉとからなり、固定金具５の前記上片５ｆに、そのねじ孔９ａに下向きにねじ込まれた押圧ボルト９の先端部が鉄骨製母屋３の前記下フランジ部３ｃの内面３ｃ１を押圧し、固定金具５の前記延長縦片４ｂが鉄骨製母屋３の前記下リップ部３ｆに当て付けられて、固定ビス１０が前記下リップ部３ｆの挿通孔１０ａから前記縦フランジ部３ａのねじ孔１０ｂにねじ込まれ、固定金具５の前記一対の固定フランジ片５ｈ，５ｉが鉄骨製母屋３の前記下フランジ部３ｃの外面３ｃ２に当て付けられて、固定ビス１１が両固定フランジ片５ｈ，５ｉの挿通孔１１ａ，１１ａから夫々前記下フランジ部３ｃのねじ孔１１ｂ，１１ｂにねじ込まれることによって、前記野縁受け懸架金具４が鉄骨製母屋３に取り付けられてなる。
【００２６】
このように、野縁受け懸架金具４の固定金具５は、固定金具５の上片５ｆにねじ込まれ、その先端部が鉄骨製母屋３の下フランジ部３ｃを押圧する押圧ボルト９と、固定金具５の延長縦片５ｅから鉄骨製母屋３の下リップ部３ｆにねじ込まれる固定ビス１０と、固定金具５の一対の固定フランジ片５ｈ，５ｉから鉄骨製母屋３の下フランジ部３ｃにねじ込まれる固定ビス１１とによって、前記下フランジ部３ｃと下リップ部３ｆに当接する固定金具５は鉄骨製母屋３に強固に固定され、野縁受け懸架金具４は鉄骨製母屋３に強固に取り付けられることになり、外部からの衝撃や振動によって、野縁受け懸架金具４が鉄骨製母屋３から脱落することはない。
【００２７】
又、可動金具６は、吊りボルト取付片部６ａと該取付片部６ａの両端部を上向きに延長して互いに対向して形成された一対の被枢支片部ｂ，６ｃとからなる上向きコ字状の被枢支枠部６ｄからなり、固定金具５の前記上向きコ字状の枢支枠部５ｄに可動金具６の前記上向きコ字状の被枢支枠部６ｄが嵌め込まれ、固定金具５の前記上向きコ字状の枢支枠部５ｄの両枢支片部５ｂ，５ｃと可動金具６の前記上向きコ字状の被枢支枠部６ｄの両被枢支片部６ｂ，６ｃとにわたってボルト１２ａ・ナット１２ｂからなる枢着具１２によって、可動金具６が枢着具１２を中心に鉄骨製母屋３の長手方向に揺動可能に固定金具５に枢着され、可動金具６の前記吊りボルト取付片部６ａに野縁受け吊りボルト８が取り付けられてなる
【００２８】
このように、野縁受け懸架金具４の固定金具５に可動金具６が枢着具１２によって枢着されて、可動金具６に取り付けられる野縁受け吊りボルト８は、鉄骨製母屋３の傾斜角度に影響されることなく垂直に吊り下げられる。
【００２９】
なお、可動金具６の吊りボルト取付片部６ａに取り付けられ吊りボルト８は、図３に示すように、吊りボルト取付片部６ａに形成したねじ孔６ａ１にねじ込まれ、ロックナット、好ましくは図示のように吊りボルト８の側面側から取り付けられる半割り状のロックナット２２（図５参照）によって締め付けロックする。又、図３に矢印の方向に取り出して示すように、吊りボルト取付片部６ａには挿通孔６ａ２を形成し、吊りボルト８を挿通孔６ａ２に挿通させて、一対の半割り状のロックナット２２，２３によって吊りボルト８を吊りボルト取付片部６ａに取り付けるようにしてもい。
【００３０】
図３〜図５に示すように、前記固定金具５の底片部５ａに野縁受け吊りボルト８を直接に垂直に取り付けるためのねじ孔１７が形成されてなるため、図６〜図８に示すように、野縁受け懸架金具４の固定金具５に対して可動金具６を枢着する枢着具１２を取り外して、可動金具６を固定金具５から撤去し、固定金具５の底片部５ａに形成されているねじ孔１７に野縁受け吊りボルト８をねじ込み、その先端部８ｂを鉄骨製母屋３の下フランジ部３ｃに外面３ｃ２に当て付けて、ロックナット２４で吊りボルト８を固定金具５に取り付けることによって、野縁受け吊りボルト８は鉄骨製母屋３に直接に垂直に取り付けることができる。なお、野縁受け吊りボルト８の先端部８ｂが鉄骨製母屋３の下フランジ部３ｃに外面３ｃ２に直接に当接されるように、固定金具５の前記下片５ｇに切欠き部２５を設け、吊りボルト８の先端部８ｂは、下片５ｇを避けて、鉄骨製母屋３の下フランジ部３ｃの外面３ｃ２に直接に当接されるようにすることによって、吊りボルト８を強力に固定金具５に取り付けることができる。しかも、野縁受け吊りボルト８はその先端部８ｂが鉄骨製母屋３の下フランジ部３ｃの外面３ｃ２に当て付けられた状態では、野縁受け吊りボルト８は固定金具５にねじ止めされ、且つロックナット２４によって吊りボルト８の定位置にロックすることになるため、野縁受け吊りボルト８は、筋交いを付設しなくても、動揺することなく正確に且つ堅固に垂直状態に垂下されることになる。特に、固定金具５の上下方向の長さを大きく取ることによって、当該吊りボルト８のロック位置を、より下方に持ってくることになるため、当該吊りボルト８を一層動揺することなく堅固に取り付けることができる。
【００３１】
図９は、野縁受け懸架金具４の他の実施形態の使用状態を示すもので、鉄骨製屋根骨枠２にその長手方向に適当間隔に取り付けられている鉄骨製母屋３のうち、隣り合う一対の鉄骨製母屋３，３か、あるいは図示のように一つの鉄骨製屋根骨枠２を挟んでその左右に隣り合って取り付けられている一対の野縁受け懸架金具４，４に夫々吊りボルト８，８が吊り下げられ、これら一対の吊りボルト８，８は、夫々短尺な羽子板ボルト１４からなり、該羽子板ボルト１４にビス等の固着具２６によってチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受けＵにビス等の、固着具ビス１６によって固着される。
【００３２】
このように、この実施形態によれば、鉄骨製母屋３の長手方向の傾斜角度如何によらず、少なくとも一対の振れ止め用筋交い１５，１５を野縁受け懸架金具４に取り付けることができ、これらの筋交い１５，１５によって野縁受けＵを吊持することができると共に、外部からの衝撃や振動を受けても、一対の振れ止め用筋交い１５による補強作用により、野縁受けＵは動揺することなく吊持され、野縁受けＵに野縁を介して取り付けられる天井材の脱落を防止することができる。
【００３３】
図１０は、野縁受け懸架金具４の固定金具５を製作するために展開状態の帯板状の打ち抜き金属板４Ａを示し、該打ち抜き金属板４Ａは、ねじ孔９ａ付きの上片５ｆに相当する部分と、折り込み線１８によって折り込まれる挿通孔１０ａ付きの延長縦片５ｅに相当する部分と、延長縦片５ｅの下部に一体形成される挿通孔５ｂ１付きの一方の枢支片部５ｂに相当する部分と、折り込み線１９によって折り込まれるねじ孔１７付きの底片部５ａに相当する部分と、折り込み線２０によって折り込まれる挿通孔５ｃ１付きの他方の枢支片部５ｃに相当する部分と、折り込み線２１によって折り込まれる挿通孔１１ａ，１１ｂ付きの一対の固定フランジ片５ｈ，５ｉに相当する部分とからなる。
【００３４】
このように、例えば鋼板等の金属板を打ち抜きプレス機によって、上述の形状の帯板状の打ち抜き金属板４Ａを形成し、その後に前記折り込み線１９〜２１にしたがって折り込むことによって、ねじ孔９ａ付きの上片５ｆ、挿通孔１０ａ付きの延長縦片５ｅ、延長縦片５ｅの下部に一体形成される挿通孔５ｂ１付きの一方の枢支片部５ｂ、ねじ孔１７付きの底片部５ａ、挿通孔５ｃ１付きの他方の枢支片部５ｃ及び挿通孔１１ａ，１１ｂ付きの一対の固定フランジ片５ｈ，５ｉが形成される野縁受け懸架金具４の固定金具５が形成されることになる。
【００３５】
このように、野縁受け懸架金具４を、帯板状の打ち抜き金属板４Ａに対して打ち抜きプレス機による打ち抜き加工と曲げ加工機による曲げ加工（折り込み加工）によって製作することができるから、安価に製作することが可能である。
【００３６】
なお、本考案において、屋根材１の勾配に合わせて種々の勾配角度に傾斜して配設される鉄骨製屋根骨枠２や鉄骨製母屋３に適用されるが、屋根材１が陸屋根のように水平である場合、即ち勾配角度が零の場合の鉄骨製屋根骨枠２や鉄骨製母屋３も含まれることはいうまでもない。
【符号の説明】
【００３７】
１      屋根材
２      鉄骨製屋根骨枠
３      鉄骨製母屋
３ａ    縦フランジ部
３ｂ    上フランジ部
３ｃ    下フランジ部
３ｃ１  下フランジ部の内面
３ｃ２  下フランジ部の外面
３ｄ    開口部
３ｅ    上リップ部
３ｆ    下リップ部
４      野縁受け懸架金具
４Ａ    打ち抜き金属板
５      固定金具
５ａ    底片部
５ｂ    枢支片部
５ｃ    枢支片部
５ｄ    上向きコ字状の枢支枠部
５ｅ    延長縦片
５ｆ    上片
５ｇ    下片
５ｈ    固定フランジ片
５ｉ    固定フランジ片
６      可動金具
６ａ    吊りボルト取付片部
６ｂ    被枢支片部
６ｃ    被枢支片部
６ｄ    上向きコ字状の被枢支枠部
８      野縁受け吊りボルト
９      押圧ボルト
１０    固定ビス
１１    固定ビス
１２    枢着具
１２ａ  ボルト
１２ｂ  ナット
１３    ハンガー
１４    羽子板ボルト
１５    振れ止め用筋交い
１６    固着具
１７    ねじ孔
１８    折り込み線
１９    折り込み線
２０    折り込み線
２１    折り込み線
２５    切欠き部
Ｕ      野縁受け
【図１】
0003207628.tif 000003
【図２】
0003207628.tif 000004
【図３】
0003207628.tif 000005
【図４】
0003207628.tif 000006
【図５】
0003207628.tif 000007
【図６】
0003207628.tif 000008
【図７】
0003207628.tif 000009
【図８】
0003207628.tif 000010
【図９】
0003207628.tif 000011
【図１０】
0003207628.tif 000012
【手続補正書】
【提出日】平成28年9月16日(2016.9.16)
【手続補正１】
【補正対象書類名】実用新案登録請求の範囲
【補正対象項目名】請求項２
【補正方法】変更
【補正の内容】
【請求項２】
前記鉄骨製母屋は、縦フランジ部と、その上部の上フランジ部と、その下部の下フランジ部と、上下フランジ部の先端部に開口部を挟んで互いに対向して突設される上下リップ部とからなるリップ付き溝形鋼からなり、
固定金具は、底片部及びその両端部より上向きに延長して互いに対向して形成された一対の枢支片部からなる上向きコ字状の枢支枠部と、一対の枢支片部のうちの一方の枢支片部を延長して形成された延長縦片と、該延長縦片の上端部を内向きに直角に折り曲げて延長して形成された上片と、前記一対の枢支片部の他方の枢支片部の上端部を外向きに直角に折り曲げて形成された下片と、該下片の外向き折り曲げ方向に直交する方向の下片の両端部を延長して形成された一対の固定フランジ片とからなり、
可動金具は、吊りボルト取付片部及び該取付片部の両端部を上向きに延長して互いに対向して形成された一対の被枢支片部からなる上向きコ字状の被枢支枠部からなり、
固定金具の前記上片に下向きにねじ込まれた押圧ボルトの先端部が鉄骨製母屋の前記下フランジ部の内面を押圧し、固定金具の前記延長縦片が鉄骨製母屋の前記下リップ部に当て付けられて、固定ねじが前記延長縦片から前記下リップ部にねじ込まれ、固定金具の前記一対の固定フランジ片が鉄骨製母屋の前記下フランジ部の外面に当て付けられ、固定ねじが両固定フランジ片から夫々前記下フランジ部にねじ込まれ、
固定金具の前記上向きコ字状の枢支枠部に可動金具の前記上向きコ字状の被枢支枠部が嵌め込まれ、固定金具の前記上向きコ字状の枢支枠部の両枢支片部と可動金具の前記上向きコ字状の被枢支枠部の両被枢支片部とにわたってボルト・ナットからなる枢着具によっ可動金具が枢着具を中心に鉄骨製母屋の長手方向に揺動可能に固定金具に枢着され、
可動金具の前記吊りボルト取付片部に野縁受け吊りボルトが取り付けられてなる請求項１に記載の野縁受け懸架装置。